(57)【特許請求の範囲】
【請求項１】
被固定物を支持する支持板の下面に粘着マットを備えさせた転倒防止用の固定具において、
該支持板には上下方向の雌ねじ孔を形成し、該雌ねじ孔に雄ねじ体を螺合し、前記粘着マットは該雌ねじ孔を露出させた状態で支持板の下面に配設し、該雄ねじ体を所定の方向に回転させて該雄ねじ体の下端を水平支持面に押圧させることにより粘着マットを該水平支持面から剥離することができるようにしたことを特徴とする転倒防止用の固定具。
【請求項２】
被固定物を支持する支持板の下面に粘着マットを備えさせた転倒防止用の固定具において、
該支持板には上下方向の透孔を形成し、該支持板の上面には雌ねじ孔を備えた雌ねじ体を該透孔に対応させて固着し、該雌ねじ孔に雄ねじ体を螺合し、前記粘着マットは該透孔を露出させた状態で支持板の下面に配設し、該雄ねじ体を所定の方向に回転させて該雄ねじ体の下端を水平支持面に押圧させることにより粘着マットを該水平支持面から剥離することができるようにしたことを特徴とする転倒防止用の固定具。
【請求項３】
被固定物を支持する支持板の下面に粘着マットを備えさせた転倒防止用の固定具において、
該支持板には上下方向の透孔を形成し、該支持板の下面には雌ねじ孔を備えた雌ねじ体を該透孔に対応させて固着し、該雌ねじ孔に雄ねじ体を螺合し、前記粘着マットは該雌ねじ孔を露出させた状態で支持板の下面に配設し、該雄ねじ体を所定の方向に回転させて該雄ねじ体の下端を水平支持面に押圧させることにより粘着マットを該水平支持面から剥離することができるようにしたことを特徴とする転倒防止用の固定具。
【請求項４】
前記雌ねじ孔又は透孔の下面には保護板を取り付け、雄ねじ体を前記所定の方向に回転させたときに該雄ねじ体の下端が該保護板を介して水平支持面に当接するようにしたことを特徴とする請求項１〜３のいずれかに記載の転倒防止用の固定具。
【請求項５】
前記保護板は水平支持面との間に隙間が存する状態で前記雌ねじ孔又は透孔の下面に取り付けられたことを特徴とする請求項４に記載の転倒防止用の固定具。
【発明の詳細な説明】
【技術分野】
【０００１】
本発明は、転倒防止用の固定具に関するものであり、例えば家具、機器等が地震発生時に転倒することを防止するために、該家具、機器等を床面等の水平支持面上に固定するようにした転倒防止用の固定具に係るものである。
【０００２】
転倒防止用の固定具により水平支持面上に固定される家具、機器等を「被固定物」という。
【背景技術】
【０００３】
被固定物を支持する支持板の下面に粘着マットを備えさせた転倒防止用の固定具は、本出願人の出願に係る特開２００６−４２９７６号公報により既に開示されている。
【特許文献１】特開２００６−４２９７６号公報
【発明の開示】
【発明が解決しようとする課題】
【０００４】
しかるに、上記従来の転倒防止用の固定具においては、次のような問題が生じている。
【０００５】
（イ）転倒防止用の固定具により被固定物を床面等の水平支持面上に固定した後、該固定具を床面等の水平支持面から除去し又は移動する場合、粘着マットを該水平支持面から剥離することが困難である。
【０００６】
（ロ）上記の場合、粘着マットを該水平支持面から剥離する際に、床面等の水平支持面が損傷するおそれがある。
【０００７】
（ハ）被固定物の重さにより、粘着マットが損傷するおそれがある。
【０００８】
本発明は、上記従来の転倒防止用の固定具における上述の如き問題を解決し、
固定具を床面等の水平支持面から除去し又は移動する場合に、該水平支持面を損傷させることなく粘着マットが該水平支持面から容易に剥離するようにすると共に、被固定物の重さから粘着マットを保護するようにした転倒防止用の固定具を提供しようとしてなされたものである。
【課題を解決するための手段】
【０００９】
上記課題を解決するために、本発明は、下記の転倒防止用の固定具を提供する。
【００１０】
（１）被固定物を支持する支持板の下面に粘着マットを備えさせた転倒防止用の固定具において、
該支持板には上下方向の雌ねじ孔を形成し、該雌ねじ孔に雄ねじ体を螺合し、前記粘着マットは該雌ねじ孔を露出させた状態で支持板の下面に配設し、該雄ねじ体を所定の方向に回転させて該雄ねじ体の下端を水平支持面に押圧させることにより粘着マットを該水平支持面から剥離することができるようにしたことを特徴とする転倒防止用の固定具（請求項１）。
【００１１】
（２）被固定物を支持する支持板の下面に粘着マットを備えさせた転倒防止用の固定具において、
該支持板には上下方向の透孔を形成し、該支持板の上面には雌ねじ孔を備えた雌ねじ体を該透孔に対応させて固着し、該雌ねじ孔に雄ねじ体を螺合し、前記粘着マットは該透孔を露出させた状態で支持板の下面に配設し、該雄ねじ体を所定の方向に回転させて該雄ねじ体の下端を水平支持面に押圧させることにより粘着マットを該水平支持面から剥離することができるようにしたことを特徴とする転倒防止用の固定具（請求項２）。
【００１２】
（３）被固定物を支持する支持板の下面に粘着マットを備えさせた転倒防止用の固定具において、
該支持板には上下方向の透孔を形成し、該支持板の下面には雌ねじ孔を備えた雌ねじ体を該透孔に対応させて固着し、該雌ねじ孔に雄ねじ体を螺合し、前記粘着マットは該雌ねじ孔を露出させた状態で支持板の下面に配設し、該雄ねじ体を所定の方向に回転させて該雄ねじ体の下端を水平支持面に押圧させることにより粘着マットを該水平支持面から剥離することができるようにしたことを特徴とする転倒防止用の固定具（請求項３）。
【００１３】
（４）前記雌ねじ孔又は透孔の下面には保護板を取り付け、雄ねじ体を前記所定の方向に回転させたときに該雄ねじ体の下端が該保護板を介して水平支持面に当接するようになす（請求項４）。
【００１４】
（５）前記保護板は水平支持面との間に隙間が存する状態で前記雌ねじ孔又は透孔の下面に取り付けられる（請求項５）。
【発明の効果】
【００１５】
［請求項１の発明］
請求項１の発明によれば、雄ねじ体を所定の方向に回転させて該雄ねじ体の下端を水平支持面に押圧させたときには、支持板が上方に強力に持ち上げられる結果、該支持板に備えさせた粘着マットを該水平支持面から容易、かつ、確実に剥離することができる。図５参照。
【００１６】
［請求項２の発明］
請求項２の発明は、支持板に直接雌ねじ孔を形成することに代えて、支持板に上下方向の透孔を形成し、該支持板の上面には雌ねじ孔を備えた雌ねじ体を該透孔に対応させて固着させたものであり、上記請求項１の発明と同様の効果を発揮する。
【００１７】
［請求項３の発明］
請求項３の発明は、支持板に直接雌ねじ孔を形成することに代えて、支持板に上下方向の透孔を形成し、該支持板の下面には雌ねじ孔を備えた雌ねじ体を該透孔に対応させて固着させたものであり、上記請求項１の発明と同様の効果を発揮する。
【００１８】
［請求項４の発明］
雄ねじ体を前記所定の方向に回転させたときに該雄ねじ体の下端が保護板を介して水平支持面に当接するようにしたため、水平支持面が雄ねじ体の下端により損傷することが防止される。
【００１９】
［請求項５の発明］
被固定物により支持板に一定以上の荷重がかかったときには、支持板下面の粘着マットが収縮して保護板が水平支持面に当接し、該保護板が荷重を受けるため、粘着マットが保護される。
【発明を実施するための最良の形態】
【００２０】
本発明による転倒防止用の固定具は、被固定物１を支持する支持板３の下面に粘着マット５を備えさせている点においては、従来の転倒防止用の固定具と同様である。
【００２１】
図１、図２における符号７に示すものは、被固定物１を支承する被固定物支承具である。被固定物支承具７は垂直部７ａと水平部７ｂとよりなる断面略Ｌ字状体である。
【００２２】
図１、図２における符号９に示すものは、被固定物支承具７を高さ調節自在に支持する支持具である。支持具９は、垂直部９ａと水平部９ｂとよりなる断面略Ｌ字状体であり、垂直部９ａに上下方向の長孔１１を備え、該長孔１１に挿通させたボルト１３を被固定物支承具７の垂直部７ａに螺合させることにより被固定物支承具７を高さ調節自在に支持している。なお、図２においては、ボルト１３は図示されていない。
【００２３】
支持具９の水平部９ｂは長孔１５を備え、該長孔１５に挿通させたボルト１７を支持板３に螺合させることにより支持具９を支持板３に位置調節自在に取り付けている。
【００２４】
粘着マット５は、一例として、粘着性を備えたゲル状の超軟質ウレタンにより形成された板状片とする。
【００２５】
しかして、本発明においては、  支持板３には上下方向の雌ねじ孔２１を形成し、該雌ねじ孔２１にボルト等の雄ねじ体２３を螺合する。
【００２６】
図１、図２に示す事例においては、支持板３の四隅にそれぞれ雌ねじ孔２１を形成し、各雌ねじ孔２１に雄ねじ体２３を螺合している。
【００２７】
前記粘着マット５は雌ねじ孔２１を露出させた状態で支持板３の下面に配設する。即ち、粘着マット５は雌ねじ孔２１に対応する部分に切り欠き２５を備えている。
【００２８】
雄ねじ体２３を所定の方向に回転させて該雄ねじ体２３の下端２３ａを床面等の水平支持面２７に押圧させることにより粘着マット５を該水平支持面２７から剥離することができるようになす。
【００２９】
図６に示す事例においては、支持板３に直接雌ねじ孔２１を形成することに代えて、支持板３に上下方向の透孔３１を形成し、該支持板３の上面には雌ねじ孔３３を備えた雌ねじ体３５を該透孔３１に対応させて固着している。
【００３０】
図７に示す事例においては、支持板３に直接雌ねじ孔２１を形成することに代えて、支持板３に上下方向の透孔３１を形成し、該支持板３の下面には雌ねじ孔３７を備えた雌ねじ体３９を該透孔３１に対応させて固着している。
【００３１】
前記支持板３に形成された雌ねじ孔２１の下面、支持板３の下面に固着された雌ねじ体３９の雌ねじ孔３７の下面、又は上面に雄ねじ体３５を固着した支持板３の透孔３１の下面には保護板４１を取り付け、雄ねじ体２３を前記所定の方向に回転させたときに該雄ねじ体２３の下端２３ａが該保護板４１を介して水平支持面２７に当接するようになす。
【００３２】
前記保護板４１は水平支持面２７との間に隙間４３が存する状態で前記雌ねじ孔２１、３７又は透孔３１の下面に取り付けられる。
【図面の簡単な説明】
【００３３】
【図１】本発明による転倒防止用の固定具の一例を示す正面図である。
【図２】同上の平面図である。
【図３】同上の底面図である。
【図４】同上固定具の一部を示す断面図である。
【図５】同上固定具において、支持板に備えさせた粘着マットを水平支持面から剥離させている状態を示す断面図である。
【図６】固定具の変形例における一部を示す断面図である。
【図７】固定具の別の変形例における一部を示す断面図である。
【符号の説明】
【００３４】
１  被固定物
３  支持板
５  粘着マット
７  被固定物支承具
７ａ  垂直部
７ｂ  水平部
９  支持具
９ａ  垂直部
９ｂ  水平部
１１  長孔
１３  ボルト
１５  長孔
１７  ボルト
２１  雌ねじ孔
２３  雄ねじ体
２３ａ  下端
２５  切り欠き
２７  水平支持面
３１  透孔
３３  雌ねじ孔
３５  雌ねじ体
３７  雌ねじ孔
３９  雌ねじ体
４１  保護板
４３  隙間
【図１】
0004704264.tif 000002
【図２】
0004704264.tif 000003
【図３】
0004704264.tif 000004
【図４】
0004704264.tif 000005
【図５】
0004704264.tif 000006
【図６】
0004704264.tif 000007
【図７】
0004704264.tif 000008